(57)【要約】  本発明は、ハンドルを貫通してカートリッジに連なる貫通孔を備える、洗浄が容易なかみそりに関し、少なくとも一つ以上のかみそりの刃を備えるかみそり刃カートリッジと、前記かみそり刃カートリッジの後面と結合されるハンドルを備え、前記ハンドルのプロファイルの少なくとも一部に沿って延長される貫通孔が前記ハンドル上に形成され、前記貫通孔は、前記かみそり刃カートリッジの後面に向くように形成される第１開放面と、前記第１開放面と対向する第２開放面を備えることにより、ハンドルのプロファイルの一部に沿って延長された貫通孔を介して洗浄水を供給することにより、かみそり刃カートリッジの洗浄を容易にすることができ、下方により開いた開放面を提供することによって洗浄水と剃り残しの排出を円滑にする。
2019518570.tif 000002
【特許請求の範囲】
【請求項１】
少なくとも一つ以上のかみそりの刃を含むかみそり刃カートリッジと、
前記かみそり刃カートリッジの後面と結合されるハンドルとを備え、
前記ハンドルの外形の少なくとも一部に沿って延びる貫通孔が前記ハンドルに形成され、
前記貫通孔は、前記かみそり刃カートリッジの後面に向くように形成される第１開放面と、前記第１開放面と対向する第２開放面を備えるかみそり。
【請求項２】
前記貫通孔は、前記第１開放面と隣接して下方に開放される第３開放面をさらに備える請求項１に記載のかみそり。
【請求項３】
前記かみそり刃カートリッジの後面に第１フック及び第２フックが形成され、
前記ハンドルは、前記第１フックに結合される第１係止部と前記第２フックに結合される第２係止部とを備えることにより、前記かみそり刃カートリッジの後面に結合される請求項１に記載のかみそり。
【請求項４】
前記かみそり刃カートリッジは、前記第１フックの位置と対応する前面の箇所に前記少なくとも一つ以上のかみそりの刃が挿入される安着部が形成される請求項３に記載のかみそり。
【請求項５】
前記ハンドルは、前記ハンドルの取っ手部から前記かみそり刃カートリッジに近い方向に向かって横断面積が広くなるように形成される請求項１に記載のかみそり。
【請求項６】
前記かみそり刃カートリッジは、前記少なくとも一つ以上のかみそりの刃が収容される刃ハウジング及び前記刃ハウジングと組み立てられ、前記少なくとも一つ以上のかみそりの刃を前記刃ハウジングに固定するカートリッジフレームを備え、
前記刃ハウジングは、前記カートリッジフレームの前面に垂直な方向において前記前面よりもさらに突出した刃ハウジングガード部を備える請求項１に記載のかみそり。
【請求項７】
前記刃ハウジングの側面は、外部に露出される請求項６に記載のかみそり。
【請求項８】
前記かみそり刃カートリッジは、前記安着部が位置する面において前記かみそりの刃の位置よりも下方にガード部をさらに備える請求項４に記載のかみそり。
【発明の詳細な説明】
【技術分野】
【０００１】
本発明は、かみそりハンドルとこれを用いたかみそりに関し、より詳細には、かみそりハンドルに洗浄用貫通孔が形成されたかみそりに関する。
【背景技術】
【０００２】
カートリッジかみそりは、一般にかみそりの刃が安着され、皮膚とかみそりの刃とが安全に接触するようにガードなどとともに提供され、かみそりの刃の突出程度を適切に決定するかみそり刃カートリッジと、前記かみそり刃カートリッジに結合され、ユーザーが手で握って制御できるように提供されるハンドルで構成される。
【０００３】
一般に、かみそりの刃及びカートリッジの洗浄のためには、カートリッジ全体を水に浸して剃り残しを排出する方式、流水でカートリッジの前面あるいは後面を洗浄する方法を用いる。ただし、前記の方法を用いる場合、かみそりの刃間の狭い間隔、複雑なカートリッジの内部構造により円滑に洗浄が行われず、剃りくずが依然として内部に残っているか、適切な排出が行われないという問題がある。
【０００４】
また、一般的に横長く形成されるカートリッジの中心部を集中的に用いてひげを剃るが、カートリッジの中心部は、カートリッジの後面にハンドルが連結されており、洗浄が困難である問題がある。
【発明の概要】
【発明が解決しようとする課題】
【０００５】
本発明が解決しようとする課題は、ハンドルを貫通してカートリッジに連なる貫通孔を備える、洗浄が容易なかみそりを提供することにある。
【０００６】
本発明の課題は、以上で言及した課題に制限されず、言及されていないまた他の課題は、下記の記載から当業者に明確に理解できるであろう。
【課題を解決するための手段】
【０００７】
前記課題を解決するための本発明の実施形態によるかみそりは、少なくとも一つ以上のかみそりの刃を有するかみそり刃カートリッジと、前記かみそり刃カートリッジの後面と結合されるハンドルとを備え、前記ハンドルの外形の少なくとも一部に沿って延びる貫通孔が前記ハンドル上に形成され、前記貫通孔は、前記かみそり刃カートリッジの後面に向くように形成される第１開放面と、前記第１開放面と対向する第２開放面とを備える。
【０００８】
また、前記貫通孔は、前記第１開放面と隣接して下方に開放される第３開放面をさらに備え得る。
【０００９】
前記かみそり刃カートリッジの後面に第１フックと第２フックとが形成され、前記ハンドルは、前記第１フックに結合される第１係止部と前記第２フックに結合される第２係止部とを備えることにより、前記かみそり刃カートリッジの後面に結合され得る。
【００１０】
前記かみそり刃カートリッジは、前記第１フックの位置と対応する前面の箇所に前記少なくとも一つ以上のかみそりの刃が挿入される安着部が形成され得、前記ハンドルは、前記ハンドルの取っ手部から前記かみそり刃カートリッジに近い方向に向かって横断面積が広くなるように形成され得る。
【００１１】
前記かみそり刃カートリッジは、前記少なくとも一つ以上のかみそりの刃が収容される刃ハウジング及び前記刃ハウジングと組み立てられ、前記少なくとも一つ以上のかみそりの刃を前記刃ハウジングに固定するカートリッジフレームを備え、前記刃ハウジングは、前記カートリッジフレームの前面に垂直な方向において前記前面よりも突出した刃ハウジングガード部を備え得る。
【００１２】
前記刃ハウジングの側面は、外部に露出され得、前記かみそり刃カートリッジは、前記安着部が位置する面で前記かみそりの刃の位置よりも下方にガード部をさらに備え得る。
【発明の効果】
【００１３】
本発明の実施形態によれば、少なくとも次のような効果がある。
【００１４】
ハンドルの外形の一部に沿って延びた貫通孔を介して洗浄水を供給することによって、かみそり刃カートリッジの洗浄を容易にすることができる。
【００１５】
下方により開いた開放面を提供することによって洗浄水及び剃り残しの排出を円滑にする。
【００１６】
本発明による効果は、以上で例示した内容によって制限されず、更に、様々な効果が本明細書に含まれている。言及されていないまた他の効果は、特許請求の範囲の記載から当業者に明確に理解できるであろう。
【図面の簡単な説明】
【００１７】
【図１】本発明の一実施形態によるかみそりハンドルとカートリッジとが結合された形態を示す斜視図である。
【図２】本発明の一実施形態によるかみそりハンドル及びカートリッジの分解図である。
【図３】本発明の一実施形態によるかみそりハンドルとカートリッジとが分離された形態を示す斜視図である。
【図４】本発明の一実施形態によるかみそりハンドルとカートリッジとが分離された形態を、図２の反対方向から見た斜視図である。
【図５】本発明の一実施形態によるカートリッジの背面図である。
【図６】本発明の一実施形態によるかみそりの背面図である。
【図７】本発明の他の実施形態によるカートリッジの背面図である。
【図８】本発明の他の実施形態によるかみそりの背面図である。
【発明を実施するための形態】
【００１８】
本発明の利点及び特徴、並びにそれらを達成する方法は、添付する図面と共に詳細に後述されている実施形態を参照すると明確になるであろう。しかし、本発明は、以下に開示する実施形態に限定されず、異なる多様な形態で具現されることができ、本実施形態は、単に本発明の開示を完全にし、本発明が属する技術分野における通常の知識を有する者に発明の範疇を完全に知らせるために提供されるものであり、本発明は、請求項の範疇によってのみ定義される。明細書全体にわたって同一参照符号は同一の構成要素を指す。
【００１９】
他に定義されなければ、本明細書で使用されるすべての用語（技術及び科学的用語を含む）は、本発明が属する技術分野における通常の知識を有する者に共通して理解できる意味で使用され得る。また、一般に使用される辞典に定義されている用語は、特に明白な定義がない限り、理想的または過度に解釈されない。
【００２０】
本明細書で使用される用語は、実施形態を説明するためのものであり、本発明を制限するものではない。本明細書では、単数形は、文言で特に言及しない限り、複数形も含む。明細書で使用される「含む（ｃｏｍｐｒｉｓｅｓ）」及び／または「含む（ｃｏｍｐｒｉｓｉｎｇ）」は、言及された構成要素の他に一つ以上の他の構成要素の存在または追加を排除しない。
【００２１】
また、本明細書で記述する実施形態は、本発明の理想的な例示図である断面図及び／または概略図を参考にして説明する。したがって、製造技術及び／または許容誤差などによって例示図の形態が変形され得る。また、本発明に示す各図面において、各構成要素は、説明の便宜上、多少拡大または縮小して示す場合もある。明細書全体にわたって同一参照符号は同一構成要素を指し、「及び／または」は、言及されたアイテムのそれぞれと１つ以上の任意の組み合わせを含む。
【００２２】
空間的に相対的な用語は、図面に示している方向に加えて使用時または動作時の構成要素の互いに異なる方向を含む用語として理解しなければならない。構成要素は、異なる方向に配向されてもよく、これにより、空間的に相対的な用語は配向によって解釈され得る。
【００２３】
以下、添付する図面を参照して本発明の好ましい実施形態の構成を詳細に説明する。
【００２４】
図１は、本発明の一実施形態によるかみそりハンドル３０とかみそり刃カートリッジ２０とが結合されたかみそりの形態を示す斜視図である。
【００２５】
図１を参照すれば、本発明の一実施形態によるかみそりは、ハンドル３０とかみそり刃カートリッジ２０で構成されている。ハンドル３０は、かみそり刃カートリッジ２０にフック結合方式で結合される。これについては詳しく後述する。
【００２６】
かみそりのハンドル３０は、ユーザーが握ってかみそりを操作する用途に使用されるように長く延長された棒形状で構成された取っ手部３２と、かみそり刃カートリッジ２０と結合され、貫通孔３１が形成される一端で構成される。
【００２７】
取っ手部３２は、ユーザーに適切なグリップ感を提供する必要があるため、取っ手部３２の側面にかみそりの長さ方向と垂直な方向に向かう規則的な凹凸パターンが形成され、ユーザの手と接触する表面積を増加させ、摩擦力を増加させることで、水とシェービングフォーム、シェービングジェルなどの潤滑性のある液体を多量に使用してひげを剃る環境においてもかみそりがユーザーの手から簡単に離脱しないようにする。取っ手部３２の下面はグリップ感の提供とは関係ないので、中空のキャビティ（ｃａｖｉｔｙ）の形態で構成できる。したがって、製造過程のシンプル化と材料節減を達成できる。
【００２８】
ハンドル３０の一端は、かみそり刃カートリッジ２０と結合される。ハンドル３０が完全にまっすぐな直線に形成され、その一端にカートリッジをハンドル３０の長さ方向に垂直に配置することもできるが、ユーザーが手を水平方向に動かしてひげを剃らなければならない不便な点があるので、ユーザーが自然にかみそりを握ったとき、かみそり刃カートリッジ２０の切削面がひげを剃ろうとする皮膚に自然に接触できるように、取っ手部３２の進行方向から一定の角度が曲がった形状でハンドル３０の一端を構成し得る。
【００２９】
ハンドル３０の一端には、貫通孔３１がハンドル３０の外形に沿って形成される。貫通孔３１は、ハンドル３０の外形の少なくとも一部に沿って延長され得、ハンドル３０の上面と下面とにそれぞれの開放面が存在してハンドル３０を貫通する。貫通孔３１の詳細な構成については、図３及び図４を参照して後述する。
【００３０】
本発明の一実施形態によるかみそりのハンドル３０は、取っ手部３２からかみそり刃カートリッジ２０に近い方向に行くほど横断面積が広くなるように形成され得る。したがって、ハンドル３０の取っ手部３２は、ユーザーが手に把持した状態で用いるのに適した横断面積で構成し、ハンドル３０の一端は、かみそり刃カートリッジ２０に結合するのに適した横断面積で構成して使用上の便宜性を高めることができる。
【００３１】
図２は、本発明の一実施形態によるかみそりハンドル３０及びかみそり刃カートリッジ２０の分解図である。
【００３２】
図２を参照すれば、かみそり刃カートリッジ２０は、刃ハウジング２１、少なくとも一つ以上のかみそりの刃２３、カートリッジフレーム２２で構成され、ガード部をさらに備え得る。
【００３３】
刃ハウジング２１は、少なくとも一つ以上のかみそりの刃２３を収容し得、前記かみそりの刃２３は、刃ハウジング２１の前面部に位置する安着部２１１に挿入される。安着部２１１は、かみそりの刃２３の下端が挿入されることにより、かみそりの刃２３を刃ハウジング２１に固定させる。安着部２１１は、必ずしも刃ハウジング２１全体にわたって形成されなければならないものでなく、かみそりの刃２３が刃ハウジング２１から離脱せずに固定されることにより、切削時に加えられる力に耐えてひげ剃りが円滑に行われる程度にかみそりの刃２３を固定できれば十分である。したがって、図２に示すように刃ハウジング２１の長方向の両端と長方向の中央とに安着部２１１が位置し得る。安着部２１１の配置は、これに限定されず、刃ハウジング２１の長方向に沿って均等な間隔で４箇所に配置されるなどの多様な実施形態が可能である。安着部２１１の一実施形態と異なる配置については、本発明の他の実施形態を説明する際に図６を参照して後述する。
【００３４】
本発明の一実施形態では、かみそりの刃２３と安着部２１１とが刃ハウジング２１の短方向に沿ってそれぞれ２個配置される場合を示しているが、かみそりの刃２３と安着部２１１の個数は、これに限定されない。かみそりの刃２３は、少なくとも一つ以上で、最大に結合しようとするかみそりの刃２３の個数に応じて安着部２１１の個数が対応して決定される。
【００３５】
安着部２１１の下方には、刃ハウジング２１の一部が前面に向かって突出した形態で構成され得る。この部位は、刃ハウジング２１がカートリッジフレーム２２と結合されたとき、カートリッジフレーム２２の前面よりもさらに前面に向かって突出するように構成され、刃ハウジングガード２１３として作用し得る。刃ハウジングガード２１３は、刃ハウジング２１がカートリッジフレーム２２との結合をさらに堅固にするため、追加的に接触するか、引っかかる突起部として作用し得、ひげを剃るときに皮膚にかみそりの刃２３よりも先に接触され、切削面を決定するガードの役割を果たし得る。別途、組み立てられるカートリッジフレーム２２にガード部が形成されるか、別のガード部品を結合及び取り付ける従来の状況とは異なり、かみそりの刃２３が安着する安着部２１１と同じ部品である刃ハウジング２１にガードが位置する。したがって、かみそりの刃２３とガードとの間に所望する高さで形成することが難しく、製造及び組み立て時の公差が発生する従来のかみそりに比べて、かみそりの刃２３とガードとの高さを合わせることが容易であるため、切削面の形成に有利である。
【００３６】
刃ハウジングの側面２１４は、刃ハウジング２１の側方に位置する面であり、ユーザーがかみそり刃カートリッジ２０とハンドル３０とを結合または分離するとき、かみそり刃カートリッジ２０を、滑ることなく容易に把持できように平らな面で両面が平行に構成され得、カートリッジフレーム２２と結合した後も側方に露出されるか、突出するように構成し得る。
【００３７】
カートリッジフレーム２２は、刃ハウジング２１を覆ってかみそりの刃２３が前面に向かって露出するように、外周を除いた中心部が開放された形態で形成される。
【００３８】
カートリッジフレーム２２は、刃ハウジング２１の前面から結合されるが、結合過程でカートリッジフレーム２２の前面の両側端が、刃ハウジング２１と安着部２１１とに挿入されたかみそりの刃２３をかみそり刃カートリッジ２０の後面に向かって押すように結合される。したがって、かみそりの刃２３の下端が安着部２１１に挿入されていたことでは、かみそりの刃２３が堅固に固定されていると保証できないが、カートリッジフレーム２２が刃ハウジング２１と堅固に結合及び固定されることにより、かみそりの刃２３も堅く固定される。カートリッジフレーム２２の前面の両側端の内側面と刃ハウジング２１の前面の側端の形状は、対応するように形成され、刃ハウジング２１とカートリッジフレーム２２とが容易に結合されるようにし得る。
【００３９】
カートリッジフレーム２２の前面の下端には、フレームガード２２１が形成され、切削面を決定する役割を果たすか、くし形態のガード（ｃｏｍｂ  ｇｕａｒｄ）で形成されて切削しようとする体毛をすいて整列する役割を果たす。ただし、フレームガード２２１の形態及び位置は、これに限定されるものではなく、カートリッジフレーム２２の前面の上端にも位置し得、くし形態のガードではない他の形態でもよい。
【００４０】
カートリッジフレーム２２の前面部の下端には、潤滑バンド２４が配置され、ひげを剃るときに潤滑力を提供し得る。ただし、これは一つの実施形態であり、潤滑バンド２４は、カートリッジフレーム２２の前面部の上端に配置され得る。
【００４１】
かみそり刃カートリッジ２０の後面にハンドル３０が結合されるためには、本発明の一実施形態によるかみそりのかみそり刃カートリッジ２０は、刃ハウジング２１に第１フック２１０を備え、カートリッジフレーム２２に第２フック２２０を備えてハンドル３０と対応するようにする。
【００４２】
第１フック２１０は、刃ハウジング２１の後面に備えられるフックであり、かみそりの刃２３の配置方向に垂直なかみそり刃カートリッジ２０の短方向に沿って配置され、かみそり刃カートリッジ２０の後面が向かう方向に沿って突出してハンドル３０の一端の側面を保持し得る。第１フック２１０は、ハンドル３０の一端の領域と同様の間隔をあけて配置される２つのサイドフックを備え、これらのサイドフックは互いに平行で、かみそり刃カートリッジ２０の短方向に沿っている。したがって、サイドフックは、ハンドル３０の一端の両側面をハンドル３０の内側方向に保持してハンドル３０をかみそり刃カートリッジ２０に固定させ得る。
【００４３】
第２フック２２０は、カートリッジフレーム２２の後面に備えられるフックであり、カートリッジフレーム２２の後面の上端に配置され、かみそりの刃２３の配置方向に平行に延び、かみそり刃カートリッジ２０の後面が向く方向に沿って突出してハンドル３０の一端の上面を保持し得る。
【００４４】
第１フック２１０及び第２フック２２０は、突出するように構成し、結合とともにハンドル３０の一端面を固定する部材で表現したが、フックという表現は、これに限定されるものではなく、ハンドル３０の一端に配置される突起を収容できる溝形態で構成されるなど、ハンドル３０の一端とかみそり刃カートリッジ２０の一端とを接触及び締結して固定できる構造であり、前記構造がハンドル３０に配置される係止部の構造と対応できるものであれば、本発明で説明した構造以外の構造を用いてもよい。
【００４５】
ハンドル３０の一端には、前記第１フック２１０及び第２フック２２０に対応する第１係止部３４と第２係止部３５とが形成される。
【００４６】
第１係止部３４は、ハンドル３０の一端の貫通孔３１の一方側の開口である第１開放面３１０の側面に配置され、ハンドル３０の側方に突出する。第１係止部３４は、刃ハウジング２１の後面に位置する第１フック２１０に対応するようにその長さが形成される。第１フック２１０が２つのサイドフックを備える場合、前記サイドフックに対応するように第１係止部３４の個数及び第１係止部３４間の間隔が形成される。
【００４７】
第２係止部３５は、ハンドル３０の一端の貫通孔３１の一方側の開口である第１開放面３１０の上面に配置され、ハンドル３０の上方に突出する。第２係止部３５は、結合時に第２フック２２０に対応するように形態及び位置が決定される。
【００４８】
前記構造は、一つの実施形態にすぎず、当業者に自明なものであれば、フック以外の他の結合構造を用いてもよく、第２フック２２０の位置もカートリッジフレーム２２の後面の下端に位置し得、第２係止部３５の位置もこれに対応するように変更してもよい。
【００４９】
図１、図３及び図４を参照して、それぞれ分離されたハンドル３０とかみそり刃カートリッジ２０とが結合される過程及び貫通孔３１の形状について説明する。
【００５０】
図３は、本発明の一実施形態によるかみそりハンドル３０とかみそり刃カートリッジ２０とが分離された形態を示す斜視図であり、図４は、本発明の一実施形態によるかみそりハンドル３０とかみそり刃カートリッジ２０とが分離された形態を、図２の反対方向から見た斜視図である。
【００５１】
図１、図３及び図４を参照すれば、第１フック２１０は第１係止部３４と、第２フック２２０は第２係止部３５と、それぞれ対応して結合時に互いに締結される関係になる。
【００５２】
かみそり刃カートリッジ２０の後面とハンドル３０の一端を接触させた後、互いに向かって外力を与えると、第１係止部３４が第１フック２１０と刃ハウジング２１の後面との間の空間に押されて入り、第１フック２１０によって引っかかってかみそり刃カートリッジ２０の長方向及びかみそり刃カートリッジ２０の前後面が向かう方向に離脱しないように固定される。それと同時に、第２係止部３５が第２フック２２０とカートリッジフレーム２２の後面との間の空間に押されて入り、第２フック２２０によって引っかかってかみそり刃カートリッジ２０の短方向及びかみそり刃カートリッジ２０の前後面が向かう方向に離脱しないように固定される。
【００５３】
したがって、第１フック２１０と第１係止部３４との結合によってハンドル３０がかみそり刃カートリッジ２０の長方向に離脱することが制限され、第２フック２２０と第２係止部３５との結合によってハンドル３０がかみそり刃カートリッジ２０の短方向に離脱することが制限され、第１フック２１０及び第２フック２２０が、第１係止部３４及び第２係止部３５に結合され、ハンドル３０がかみそり刃カートリッジ２０の前後面が向かう方向に離脱することが防止されることで、かみそり刃カートリッジ２０の短方向にキャップを離脱させようとしたり、ひげ剃りをかみそり刃カートリッジ２０の短方向にするなどの理由で外力が加わる場合、かみそり刃カートリッジ２０がハンドル３０から離脱する危険性を防止できる。
【００５４】
また、刃ハウジング２１に配置された第１フック２１０のみがハンドル３０と結合するものではなく、カートリッジフレーム２２に配置された第２フック２２０がかみそり刃カートリッジ２０とハンドル３０との間の結合に関与するので、かみそり刃カートリッジ２０とハンドル３０との結合により、刃ハウジング２１とカートリッジフレーム２２とがより堅く固定される。
【００５５】
ハンドル３０の一端とかみそり刃カートリッジ２０の後面のフックが円滑に結合されるために、第１フック２１０及び第２フック２２０は、かみそり刃カートリッジ２０の前面から後面に向かってテーパ状に形成され得る。これに対応してハンドル３０の一端の第１係止部３４及び第２係止部３５もハンドル３０の取っ手部３２からかみそり刃カートリッジ２０に向かう方向にテーパ状に形成され得る。したがって、フックまたは係止部がテーパ状に形成されて斜面をなすと、係止部がかみそり刃カートリッジ２０の後面に挿入されるとき、前記斜面に沿ってより少ない力でも容易に進入して結合され得る。
【００５６】
図３及び図４を参照すれば、本発明の一実施形態のかみそりハンドル３０が有する貫通孔３１の一側の開口である第１開放面３１０、第２開放面３１１及び第３開放面３１２を確認し得る。
【００５７】
第１開放面３１０は、ハンドル３０の一端にかみそり刃カートリッジ２０に向かうように形成され、第２開放面３１１は、ハンドル３０の上面に形成される。したがって、貫通孔３１は、第１開放面３１０と第２開放面３１１とをつなぎハンドル３０を貫通する構造であり、ハンドル３０のプロファイルの少なくとも一部に沿って延長される。
【００５８】
第２開放面３１１は、第１開放面３１０に対向するように配置される。ここで、対向するとは、第１開放面３１０から第２開放面３１１に向かってハンドル３０を貫通させた通路が貫通孔３１になって、第１開放面３１０と第２開放面３１１とが貫通孔３１の一方向開口と反対側の他方向開口になることを意味する。
【００５９】
前記貫通孔３１は、両開口がハンドル３０の一端と上面とに形成された構造であるので、一開放面に水のような液体が進入する場合、他の開放面に排出される。したがって、このような構造を用いて、第２開放面３１１を介して洗浄水を注入する場合には、かみそり刃カートリッジ２０の後面と隣接する第１開放面３１０とを介して洗浄水が排出され、かみそり刃カートリッジ２０への洗浄水の供給、洗浄が行われ得る。特にかみそり刃カートリッジ２０の中心部は、通常の方法で円滑に洗浄されないので、前記のような方法で容易に洗浄することができる。これらの特性は、ハンドル３０の取っ手部３２からかみそり刃カートリッジ２０に向かう第１開放面３１０に近づくほど、ハンドル３０の横断面積が広くなる本発明の一実施形態のハンドル３０の特徴と結合して洗浄効率をさらに向上させることができる。
【００６０】
貫通孔３１は、第１開放面３１０と隣接して下方に開放される第３開放面３１２をさらに備える。したがって、第２開放面３１１に洗浄水が注入される場合は、第１開放面３１０を介してかみそり刃カートリッジ２０に洗浄水が供給されると同時に、第３開放面３１２にも洗浄水の一部が供給されて洗浄水の洗浄によってかみそり刃カートリッジ２０から排出される剃り残しを排出できる。
【００６１】
ただし、前述したように、洗浄方法は第２開放面３１１に洗浄水を注入することに限定されるものではなく、かみそり刃カートリッジ２０の前面を介して洗浄水が注入され、第１開放面３１０に洗浄水と剃り残しとが排出され、第２開放面３１１と第３開放面３１２とに引き続き排出される洗浄方法、第３開放面３１２に洗浄水が注入され、第１開放面３１０を介してかみそり刃カートリッジ２０の後面に洗浄水が供給されることにより、かみそり刃カートリッジ２０の前面に剃り残しを排出する洗浄方法などをユーザーが選択できる。
【００６２】
図５は、本発明の一実施形態によるかみそり刃カートリッジ２０の背面図である。
【００６３】
図５を参照すれば、第１フック２１０は、刃ハウジング２１の短方向のすべてにわたって形成されるものではなく、第１フック２１０の下端には、フック溝２１２が形成される。かみそり刃カートリッジ２０とハンドル３０との結合が行われると、フック溝２１２には、図２のハンドル３０で確認できる係止延長部３６が位置する。係止延長部３６は、第１係止部３４と隣接するように位置し、ハンドル３０のプロファイルに沿って延長されるので、かみそり刃カートリッジ２０の短方向にも第１フック２１０によって引っかかる。したがって、ハンドル３０がかみそり刃カートリッジ２０の短方向に沿って離脱しようとすることを第２係止部３５と共に防止する役割をする。
【００６４】
図６は、本発明の一実施形態によるかみそりの背面図である。
【００６５】
図６を参照すれば、かみそり刃カートリッジ２０の後面にハンドル３０が結合された場合、貫通孔３１を介してかみそり刃カートリッジ２０の後面の観察が可能であることを確認できる。したがって、前記貫通孔３１の後方に位置する第２開放面３１１を介して洗浄水を注入する時、前方に位置してかみそり刃カートリッジ２０の後面と隣接する第１開放面３１０を介して洗浄水が供給されてかみそり１０を後面から洗浄することが可能である。
【００６６】
一方、かみそり１０の後方から貫通孔３１を介して確認できるように、安着部２１１は貫通孔３１を介して観察が可能である。したがって、刃ハウジング２１に安着したかみそりの刃２３に直接洗浄水が供給されることを安着部２１１が遮っているので、かみそりの刃２３の中心部の洗浄が多少不十分である。
【００６７】
図７は、本発明の他の実施形態によるかみそり刃カートリッジ４０の背面図である。
【００６８】
したがって、前述したように洗浄が不十分である問題を解決するために、図７を参照すれば、安着部４１１をかみそり刃カートリッジ４０の中心ではなく、第１フック４１０に対応する位置に配置することにより、かみそり刃カートリッジ４０の中心部が露出され得る。
【００６９】
図８は、本発明の他の実施形態によるかみそりの背面図である。
【００７０】
図８を参照すれば、ハンドル３０がかみそり刃カートリッジ４０に結合された後も貫通孔３１を介して観察できるかみそり刃カートリッジ４０の後面を安着部４１１が遮っていないことが確認できる。本発明の他の実施形態によって、かみそりの後方に配置された第２開放面３１１に洗浄水が注入されると、かみそり刃カートリッジ４０に隣接して配置された第１開放面３１０に洗浄水が排出され、安着部４１１がかみそり刃カートリッジ４０の後面を遮っていないので、かみそりの刃２３の中心部が流入した洗浄水によって円滑に洗浄され得る。
【００７１】
図５において、かみそりの刃２３の安着部２１１は、かみそり刃カートリッジ２０の長方向両端と中心に位置してかみそりの刃２３を３箇所で保持する。
【００７２】
図７において、かみそりの刃２３の安着部４１１は、第１フック２１０の位置に対応する刃ハウジング２１の前面の箇所にそれぞれ一つずつ位置し、かみそり刃カートリッジ４０長方向両端に位置してかみそりの刃２３を４箇所で保持する。前記図7の他の実施形態の安着部４１１の配置形態により、刃ハウジング２１の中心部に位置していた安着部２１１が両側に移動したものと同じであるので、貫通孔３１を介してかみそり刃カートリッジ４０の後面に供給された洗浄水がかみそり刃カートリッジ４０の中心部をより旨く洗浄できる。
【００７３】
本発明が属する技術分野における通常の知識を有する者は、本発明がその技術的思想や必須の特徴を変更せず、他の具体的な形で実施できることを理解できるだろう。したがって、上記実施形態は、すべての面において例示的なものであり、限定的なものではないと理解しなければならない。本発明の範囲は、前記詳細な説明ではなく、後述する特許請求の範囲によって示され、特許請求の範囲の意味及び範囲並びにその均等概念から導き出されるすべての変更または変形された形態が本発明の範囲に含まれると解釈しなければならない。
【００７４】
本発明は前述した好ましい実施形態について説明したが、発明の要旨と範囲から外れない範囲で、様々な修正や変形をすることは可能である。したがって、添付する特許請求の範囲は、本発明の要旨に属する限り、これらの変更や変形を含むことができる。
【図１】
2019518570.tif 000003
【図２】
2019518570.tif 000004
【図３】
2019518570.tif 000005
【図４】
2019518570.tif 000006
【図５】
2019518570.tif 000007
【図６】
2019518570.tif 000008
【図７】
2019518570.tif 000009
【図８】
2019518570.tif 000010
【国際調査報告】
2019518570.tif 000011
2019518570.tif 000012
2019518570.tif 000013
2019518570.tif 000014
2019518570.tif 000015
2019518570.tif 000016
2019518570.tif 000017
2019518570.tif 000018
2019518570.tif 000019
2019518570.tif 000020
2019518570.tif 000021
2019518570.tif 000022